(57)【要約】【課題】携帯情報処理装置を利用して安全運転支援に関する支援情報を提供することができる情報支援装置、情報支援システム及びコンピュータプログラムを提供する。【解決手段】第１インタフェース部１２は、情報支援装置１０とスマートフォン２０との接続を行う。アプリケーション導入部１３は、スマートフォン２０が接続されたと判定された場合、スマートフォン２０に安全運転支援用アプリケーションを導入する。支援情報生成部１８は、制御部１１の制御のもと、スマートフォン２０に安全運転支援用アプリケーションが導入され、スマートフォン２０から安全運転支援用アプリケーションを起動した旨の起動情報を受信した場合に、第３インタフェース部１７で交通状況に関するデータを取得したときは、取得したデータに応じた支援情報を生成してスマートフォン２０へ送信する。【選択図】図１
2013016028.tif 000002
【特許請求の範囲】
【請求項１】
安全運転支援に関する支援情報を携帯情報処理装置で提供させるための情報支援装置において、
前記携帯情報処理装置に安全運転支援用アプリケーションを導入するための導入手段と、
前記携帯情報処理装置で前記安全運転支援用アプリケーションを起動した旨の起動情報を該携帯端末装置から受信する第１受信手段と、
交通状況に関するデータを取得するデータ取得手段と、
前記第１受信手段で起動情報を受信した場合に、前記データ取得手段でデータを取得したときは、取得したデータに応じた支援情報を前記携帯情報処理装置へ送信する送信手段と
を備えることを特徴とする情報支援装置。
【請求項２】
車両に搭載可能にしてあり、
前記車両の運転に関連する車両情報を該車両から取得する車両情報取得手段と、
該車両情報取得手段で取得した車両情報に基づいて車両の異常の有無を判定する判定手段と、
該判定手段で異常があると判定した場合、前記送信手段で送信する支援情報の内容と該支援情報の送信タイミングの少なくとも一方を変更する変更手段と
を備えることを特徴とする請求項１に記載の情報支援装置。
【請求項３】
前記送信手段は、
運転者への注意を喚起するため所定のレベルの支援情報を送信するようにしてあり、
前記判定手段は、
車両の減速機構の異常を判定するようにしてあり、
前記変更手段は、
前記減速機構が異常であると判定された場合、前記所定のレベルより高い警告レベルの警告情報に変更するように構成してあることを特徴とする請求項２に記載の情報支援装置。
【請求項４】
前記変更手段は、
前記減速機構が異常であると判定された場合、前記所定のレベルの支援情報の送信タイミングを早くするように構成してあることを特徴とする請求項２又は請求項３に記載の情報支援装置。
【請求項５】
前記判定手段は、
前照灯が点灯しているか否かを判定するようにしてあり、
前記変更手段は、
前記判定手段で前照灯が消灯していると判定した場合、その旨の支援情報に変更するように構成してあることを特徴とする請求項２乃至請求項４のいずれか１項に記載の情報支援装置。
【請求項６】
請求項１に記載の情報支援装置と、該情報支援装置が送信した安全運転支援に関する支援情報を表示又は出力する携帯情報処理装置とを備えることを特徴とする情報支援システム。
【請求項７】
コンピュータに、安全運転支援に関する支援情報を携帯情報処理装置で提供させるためのコンピュータプログラムにおいて、
コンピュータに、
前記携帯情報処理装置に安全運転支援用アプリケーションを導入するためのステップと、
前記携帯情報処理装置で前記安全運転支援用アプリケーションを起動した旨の起動情報を該携帯情報処理装置から受信した場合に、交通状況に関するデータを取得したときは、取得したデータに応じた支援情報を生成するステップと
を実行させることを特徴とするコンピュータプログラム。
【請求項８】
コンピュータに、安全運転支援に関する支援情報を提供させるためのコンピュータプログラムにおいて、
コンピュータに、
外部の情報支援装置との接続の有無を判定するステップと、
前記情報支援装置との接続ありと判定した場合、安全運転支援用アプリケーションを導入するステップと、
前記安全運転支援用アプリケーションを起動するステップと、
前記情報支援装置から取得した支援情報を提供するステップと
を実行させることを特徴とするコンピュータプログラム。
【発明の詳細な説明】
【技術分野】
【０００１】
本発明は、車両等の安全運転や歩行者の安全などを支援する装置に関し、特に、携帯情報処理装置を利用した情報支援装置、該情報支援装置を備える情報支援システム及び前記情報支援装置を実現するためのコンピュータプログラムに関する。
【背景技術】
【０００２】
車両の安全運転支援や歩行者の安全を支援するために、道路を走行する車両の情報や歩行者等の情報を検出し、あるいは交通信号機の信号情報などを用いて、車両の運転者に安全運転に有用な情報を提供する安全運転支援システム（ＤＳＳＳ：Driving Safety Support Systems）に関する技術が開発されている。
【０００３】
例えば、中央装置、交通信号機、路上装置などを備え、中央装置は、各交差点がサービス交差点か否かを識別するための情報等を含むサービス交差点情報を複数の交通信号機へ送信する。そして、路上装置は、通信回線を介して接続された交通信号機からサービス交差点情報を受信し、車載機へ送信する。車載機は、サービス交差点情報に基づいて、サービス交差点の所在地を道路地図に重畳して報知情報を作成して運転者へ提供することにより、安全運転支援サービスを提供する情報提供システムが開示されている（特許文献１参照）。
【先行技術文献】
【特許文献】
【０００４】
【特許文献１】特開２００８−１１２２５５号公報
【発明の概要】
【発明が解決しようとする課題】
【０００５】
しかしながら、従来の安全運転支援システム（ＤＳＳＳ）は、ＤＳＳＳ対応の車載機（カーナビゲーション）を用いるものであった。一方で、スマートフォン又はタブレット型情報端末などの携帯型の情報処理装置が急速に普及してきており、ユーザは、様々な情報をこれらの携帯情報処理装置から発信するのみならず、これらの携帯情報処理装置を利用して多くの情報を受信している。このため、利用者の視点に立ってみれば、頻繁に利用しているこれらの携帯情報処理装置を用いた安全運転支援システムへの期待が高まる可能性がある。しかし、従来、携帯情報処理装置を用いた安全運転支援システムについては検討されていない。
【０００６】
本発明は、斯かる事情に鑑みてなされたものであり、携帯情報処理装置を利用して安全運転支援に関する支援情報を提供することができる情報支援装置、該情報支援装置を備える情報支援システム及び前記情報支援装置を実現するためのコンピュータプログラムを提供することを目的とする。
【課題を解決するための手段】
【０００７】
第１発明に係る情報支援装置は、安全運転支援に関する支援情報を携帯情報処理装置で提供させるための情報支援装置において、前記携帯情報処理装置に安全運転支援用アプリケーションを導入するための導入手段と、前記携帯情報処理装置で前記安全運転支援用アプリケーションを起動した旨の起動情報を該携帯端末装置から受信する第１受信手段と、交通状況に関するデータを取得するデータ取得手段と、前記第１受信手段で起動情報を受信した場合に、前記データ取得手段でデータを取得したときは、取得したデータに応じた支援情報を前記携帯情報処理装置へ送信する送信手段とを備えることを特徴とする。
【０００８】
第２発明に係る情報支援装置は、第１発明において、車両に搭載可能にしてあり、前記車両の運転に関連する車両情報を該車両から取得する車両情報取得手段と、該車両情報取得手段で取得した車両情報に基づいて車両の異常の有無を判定する判定手段と、該判定手段で異常があると判定した場合、前記送信手段で送信する支援情報の内容と該支援情報の送信タイミングの少なくとも一方を変更する変更手段とを備えることを特徴とする。
【０００９】
第３発明に係る情報支援装置は、第２発明において、前記送信手段は、運転者への注意を喚起するため所定のレベルの支援情報を送信するようにしてあり、前記判定手段は、車両の減速機構の異常を判定するようにしてあり、前記変更手段は、前記減速機構が異常であると判定された場合、前記所定のレベルより高い警告レベルの警告情報に変更するように構成してあることを特徴とする。
【００１０】
第４発明に係る情報支援装置は、第２発明又は第３発明において、前記変更手段は、前記減速機構が異常であると判定された場合、前記所定のレベルの支援情報の送信タイミングを早くするように構成してあることを特徴とする。
【００１１】
第５発明に係る情報支援装置は、第２発明乃至第４発明のいずれか１つにおいて、前記判定手段は、前照灯が点灯しているか否かを判定するようにしてあり、前記変更手段は、前記判定手段で前照灯が消灯していると判定した場合、その旨の支援情報に変更するように構成してあることを特徴とする。
【００１２】
第６発明に係る情報支援システムは、前述の発明に係る情報支援装置と、該情報支援装置が送信した安全運転支援に関する支援情報を表示又は出力する携帯情報処理装置とを備えることを特徴とする。
【００１３】
第７発明に係るコンピュータプログラムは、コンピュータに、安全運転支援に関する支援情報を携帯情報処理装置で提供させるためのコンピュータプログラムにおいて、コンピュータに、前記携帯情報処理装置に安全運転支援用アプリケーションを導入するためのステップと、前記携帯情報処理装置で前記安全運転支援用アプリケーションを起動した旨の起動情報を該携帯情報処理装置から受信した場合に、交通状況に関するデータを取得したときは、取得したデータに応じた支援情報を生成するステップとを実行させることを特徴とする。
【００１４】
第８発明に係るコンピュータプログラムは、コンピュータに、安全運転支援に関する支援情報を提供させるためのコンピュータプログラムにおいて、コンピュータに、外部の情報支援装置との接続の有無を判定するステップと、前記情報支援装置との接続ありと判定した場合、安全運転支援用アプリケーションを導入するステップと、前記安全運転支援用アプリケーションを起動するステップと、前記情報支援装置から取得した支援情報を提供するステップとを実行させることを特徴とする。
【００１５】
第１発明及び第７発明にあっては、導入手段は、携帯情報処理装置（例えば、スマートフォンなど）に安全運転支援用アプリケーションを導入する。安全運転支援用アプリケーションは、例えば、交差点で右折する際に反対車線から直進する車両との衝突を防止するための右折時衝突防止サービスのためのアプリケーション、後続車両が前方車両に追突することを防止するための追突防止サービスのためのアプリケーション、交通信号機のない交差道路での出会頭衝突を防止するための出会頭衝突防止サービスなどである。安全運転支援用アプリケーションの導入は、情報支援装置が予め安全運転支援用アプリケーションを記憶しておき、携帯情報処理装置が情報支援装置と接続された場合に、情報支援装置が安全運転支援用アプリケーションを携帯情報処理装置へ送信してもよく、あるいは外部のサーバなどに安全運転支援用アプリケーションを記憶しておき、情報支援装置又は携帯情報処理装置からの要求に応じて、サーバが安全運転支援用アプリケーションを携帯情報処理装置へ送信してもよい。
【００１６】
携帯情報処理装置で安全運転支援用アプリケーションが導入され、安全運転支援用アプリケーションを起動した旨の起動情報を携帯端末装置から受信した場合に、データ取得手段で交通状況に関するデータを取得したときは、取得したデータに応じた支援情報を携帯情報処理装置へ送信する。データは、例えば、光ビーコン又は電波ビーコンなどの路側装置を介して取得することができ、衝突又は追突の対象となり得る車両の位置情報、速度情報などを含み、車両の走行挙動を判定することができるデータである。また、交差点付近に交通信号機が設置されている場合には、データは信号制御装置などから取得することができ、交通信号機の交通信号情報（灯色の表示時間、切替タイミング等）などである。
【００１７】
携帯情報処理装置へ安全運転支援用アプリケーションを導入するとともに、路側装置又は信号制御装置などから取得したデータ（車両の走行挙動、交通信号制御などの情報）に応じた支援情報を携帯情報処理装置へ送信するので、携帯情報処理装置で安全運転支援サービスを行うことができ、従来のＤＳＳＳ機能を有する車載機が搭載されていない車両でも、ユーザが携帯情報処理装置を携帯していれば、安全運転支援サービスを受けることができ、携帯情報処理装置を利用して安全運転支援に関する支援情報を提供することができる。
【００１８】
第２発明にあっては、情報支援装置は、車両に搭載可能にしてあり、車両情報取得手段は、車両の運転に関連する車両情報を車両（例えば、ＥＣＵなど）から取得する。車両情報は、車両の異常又は故障などを診断するための情報であり、例えば、車両の速度、ヘッドライト又はテールライトなどの表示灯の点灯又は消灯状態を示す情報、ブレーキの踏込圧力などである。判定手段は、取得した車両情報に基づいて車両の異常の有無を判定し、変更手段は、車両に異常があると判定した場合、送信する支援情報の内容と支援情報の送信タイミングの少なくとも一方を変更する。例えば、車両の異常又は故障により車両の非常時の危険回避能力が低下している場合には、支援情報の緊急度を高め（例えば、注意喚起に代えて警告にする）、あるいは支援情報の送信タイミングを早めることにより、危険回避をし易くする。これにより、より安全性が高い運転支援サービスを実現することができる。
【００１９】
第３発明にあっては、送信手段は、運転者への注意を喚起するため所定のレベルの支援情報を送信する。判定手段で車両の減速機構（例えば、ブレーキ）の異常があると判定された場合、変更手段は、所定のレベルより高い警告レベルの警告情報に変更する。例えば、車両に異常又は故障がない場合には、注意喚起のレベルの支援情報を送信する。ブレーキパッド等の摩耗度合が所定の閾値を超えた場合などのように、減速機構に異常がある場合には、通常のレベルより高い警告レベルの警告情報に変更する。これにより、車両の異常状態に応じて適切な支援情報を提供することができる。
【００２０】
第４発明にあっては、変更手段は、減速機構が異常であると判定された場合、所定のレベルの支援情報の送信タイミングを早くする。これにより、車両の異常状態に応じて適切なタイミングで支援情報を提供することができる。
【００２１】
第５発明にあっては、判定手段は、前照灯が点灯しているか否かを判定する。変更手段は、前照灯が消灯していると判定された場合、その旨の支援情報に変更する。例えば、左右の前照灯のうち一方が点灯していない場合、その旨の支援情報を携帯情報処理装置へ送信する。これにより、運転者に対して注意喚起を促すことができる。
【００２２】
第６発明にあっては、前述の情報支援装置と、情報支援装置が送信した安全運転支援に関する支援情報を表示又は出力する携帯情報処理装置とを備える。これにより、ユーザは、携帯情報処理装置から支援情報を得ることができる。
【００２３】
第８発明にあっては、外部の情報支援装置との接続の有無を判定し、情報支援装置との接続ありと判定した場合、安全運転支援用アプリケーションを導入する。導入した安全運転支援用アプリケーションを起動し、情報支援装置から取得した支援情報を提供する。これにより、従来のＤＳＳＳ機能を有する車載機が搭載されていない車両でも、ユーザが携帯情報処理装置を携帯していれば、安全運転支援サービスを受けることができる。
【発明の効果】
【００２４】
本発明によれば、従来のＤＳＳＳ機能を有する車載機が搭載されていない車両でも、ユーザが携帯情報処理装置を携帯していれば、安全運転支援サービスを受けることができ、携帯情報処理装置を利用して安全運転支援に関する支援情報を提供することができる。
【図面の簡単な説明】
【００２５】
【図１】本実施の形態の情報支援システムの構成の一例を示すブロック図である。
【図２】本実施の形態の情報支援装置の処理手順を示すフローチャートである。
【図３】本実施の形態の情報支援装置の処理手順を示すフローチャートである。
【図４】本実施の形態のスマートフォンの処理手順を示すフローチャートである。
【図５】本実施の形態のスマートフォンの処理手順を示すフローチャートである。
【発明を実施するための形態】
【００２６】
以下、本発明に係る情報支援システムの実施の形態を示す図面に基づいて説明する。図１は本実施の形態の情報支援システムの構成の一例を示すブロック図である。情報支援システムは、情報支援装置１０、携帯情報処理装置としてのスマートフォン２０などを備える。なお、携帯情報処理装置は、スマートフォンに限定されるものではなく、表示画面又は音声出力部（不図示）を具備するものであれば、タブレット型の携帯端末装置などでもよい。情報支援装置１０は、車両に搭載可能な構成を有する。なお、情報支援装置１０は、車両から着脱可能に構成してもよい。
【００２７】
情報支援装置１０は、制御部１１、第１インタフェース部１２、アプリケーション導入部１３、車両診断部１４、記憶部１５、第２インタフェース部１６、第３インタフェース部１７、支援情報生成部１８などを備える。
【００２８】
第１インタフェース部１２は、情報支援装置１０とスマートフォン２０との接続を行うとともに、スマートフォン２０との間で所定の情報の送受信を行う。スマートフォン２０との接続は、所定の接続コネクタ（不図示）を介した接続でもよく、あるいはブルートゥース通信、無線ＬＡＮ通信などの無線通信手段による接続でもよい。
【００２９】
第１インタフェース部１２は、スマートフォン２０との接続の有無を判定し、接続ありと判定した場合、接続されたことを示す信号を制御部１１へ出力する。
【００３０】
アプリケーション導入部１３は、スマートフォン２０が接続されたと判定された場合、スマートフォン２０に安全運転支援用アプリケーションを導入する導入手段として機能する。安全運転支援用アプリケーションは、例えば、交差点で右折する際に反対車線から直進する車両との衝突を防止するための右折時衝突防止サービスのためのアプリケーション、後続車両が前方車両に追突することを防止するための追突防止サービスのためのアプリケーション、交通信号機のない交差道路での出会頭衝突を防止するための出会頭衝突防止サービスのためのアプリケーションなどである。
【００３１】
安全運転支援用アプリケーションの導入には、主に２通りの方法があり、いずれの方法を用いてもよい。第１の方法は、記憶部１５に予め安全運転支援用アプリケーションを記憶しておき、スマートフォン２０が情報支援装置１０に接続された場合、情報支援装置１０が安全運転支援用アプリケーションをスマートフォン２０へ送信する。第２の方法は、外部のサーバ（不図示）等に予め安全運転支援用アプリケーションを記憶しておき、スマートフォン２０が情報支援装置１０に接続された場合、情報支援装置１０又はスマートフォン２０のいずれかが安全運転支援用アプリケーション導入のための要求信号をサーバへ送信する。そして、サーバが安全運転支援用アプリケーションをスマートフォン２０へ送信する。
【００３２】
スマートフォン２０は、安全運転支援用アプリケーションの導入処理（インストール）を行い、導入が終了した場合、導入終了の信号を情報支援装置１０へ送信する。
【００３３】
第２インタフェース部１６は、車両内のＥＣＵ３０（Electronic Control Unit：電子制御ユニット）などから車両情報を取得する車両情報取得手段として機能する。車両情報は、車両の異常又は故障などを診断するための情報であり、例えば、車両の速度、ヘッドライト又はテールライトなどの表示灯の点灯又は消灯状態を示す情報、ブレーキの踏込圧力などである。なお、車両情報は、これらに限定されるものではない。
【００３４】
第３インタフェース部１７は、車両に搭載された光ビーコン受信部４０及び電波ビーコン受信部５０からデータを取得するデータ取得手段として機能する。光ビーコン受信部４０及び電波ビーコン受信部５０は、それぞれ光ビーコン及び電波ビーコンなどの路側装置で取得したデータを光ビーコン及び電波ビーコンから受信する。
【００３５】
第３インタフェース部１７で取得するデータは、交通状況に関するデータであり、衝突又は追突の対象となり得る車両の位置情報、速度情報などを含み、車両の走行挙動を判定することができるデータである。
【００３６】
また、第３インタフェース部１７は、交通状況に関するデータとして、信号制御装置から交通信号情報（例えば、信号灯器の灯色の表示時間、切替タイミング等）のデータを取得する。第３インタフェース部１７は、交差点付近に交通信号機（信号灯器）が設置されている場合には、交通信号機の交通信号情報を取得することができる。
【００３７】
記憶部１５は、安全運転支援用アプリケーションに含まれるサービス（右折時衝突防止サービス、追突防止サービス、出会頭衝突防止サービスなど）毎に、第３インタフェース部１７で取得したデータに応じて提供すべく支援情報を記憶してある。
【００３８】
支援情報生成部１８は、制御部１１の制御のもと、スマートフォン２０に安全運転支援用アプリケーションが導入され、スマートフォン２０から安全運転支援用アプリケーションを起動した旨の起動情報（導入終了の信号）を受信した場合に、第３インタフェース部１７で交通状況に関するデータを取得したときは、取得したデータに応じた支援情報を生成して（又は記憶部１５から読み出して）スマートフォン２０へ送信する。
【００３９】
上述のように、スマートフォン２０を情報支援装置１０に接続するだけで、安全運転支援用アプリケーションがスマートフォン２０に導入される。そして、路側装置又は信号制御装置などから取得したデータ（車両の走行挙動、交通信号制御などの情報）に応じた支援情報をスマートフォン２０へ送信し、スマートフォン２０は、安全運転支援用アプリケーションに基づいた処理を行うことで、スマートフォン２０で安全運転支援サービスを行うことができ、従来のＤＳＳＳ機能を有する車載機が搭載されていない車両でも、ユーザがスマートフォン２０を携帯していれば、安全運転支援サービスを受けることができ、スマートフォン２０を利用して安全運転支援に関する支援情報を提供することができる。
【００４０】
車両診断部１４は、第２インタフェース部１６で取得した車両情報に基づいて車両の異常の有無を判定する判定手段として機能する。
【００４１】
支援情報生成部１８は、車両診断部１４で異常があると判定した場合、スマートフォン２０へ送信する支援情報の内容と支援情報の送信タイミングの少なくとも一方を変更する変更手段として機能する。例えば、車両の異常又は故障により車両の非常時の危険回避能力が低下している場合には、支援情報の緊急度を高め（例えば、注意喚起に代えて警告にする）、及び／又は支援情報の送信タイミングを早めることにより、危険回避をし易くする。これにより、より安全性が高い運転支援サービスを実現することができる。
【００４２】
具体的には、支援情報生成部１８は、車両診断部１４で車両の異常又は故障がないと判定された場合、運転者への注意を喚起するため所定のレベルの支援情報をスマートフォン２０へ提供する。
【００４３】
また、支援情報生成部１８は、車両診断部１４で車両の減速機構（例えば、ブレーキ）の異常があると判定された場合、上述の所定のレベルに支援情報よりも高い警告レベルの警告情報に変更してスマートフォン２０へ提供する。例えば、車両に異常又は故障がない場合には、注意喚起のレベルの支援情報をスマートフォン２０へ提供する。ブレーキパッド等の摩耗度合が所定の閾値を超えた場合などのように、減速機構に異常がある場合には、通常のレベルより高い警告レベルの警告情報に変更する。これにより、車両の異常状態に応じて適切な支援情報を提供することができる。
【００４４】
なお、ブレーキパッドの摩耗は、第２インタフェース部１６で取得した車両の速度、ブレーキの踏み込み圧力から算出することができる。例えば、当初（新車時）、速度を０にするのにブレーキ踏み込み圧力ＢでＮ秒必要であったとする。診断時に車両の速度を０にするのにブレーキ踏み込み圧力ＢでＭ秒必要であったとすると、ブレーキパッドの摩耗度はＭ／Ｎとなる。摩耗度が所定の閾値以上であれば、支援情報の警告レベルを上げた警告情報を提供するか、あるいは支援情報の送信タイミングを早める。
【００４５】
また、支援情報生成部１８は、車両診断部１４で車両の減速機構が異常であると判定された場合、所定のレベルの支援情報の送信タイミングを早くする。これにより、車両の異常状態に応じて適切なタイミングで支援情報を提供することができる。
【００４６】
また、支援情報生成部１８は、車両診断部１４で車両の前照灯（ヘッドライト）が点灯することができない状態であると判定された場合、その旨の支援情報に変更してスマートフォン２０へ提供する。例えば、左右の前照灯のうち一方が点灯できない状態である場合、その旨の支援情報をスマートフォン２０へ提供する。これにより、運転者に対して注意喚起を促すことができる。
【００４７】
なお、前照灯が点灯しているか否かの判定は以下の方法でも可能である。安全運転支援システム（ＤＳＳＳ）は、光ビーコンによるスポットでの情報提供と、電波ビーコンによる所定の領域（通信領域）内での連続的な情報提供とがある。提供される情報は車両感知器などのセンサで取得する車両検出情報が含まれている。光ビーコンの場合は、得られる車両検出情報に自車両の情報は含まれないが、電波ビーコンの場合は、センサの検知領域と通信領域を重複させることにより、自車両の車両検出情報を自車両で得ることができる。具体的には、以下の流れとなる。
【００４８】
（１）車両がセンサからの情報（以下、センサ情報）を受け取れる通信領域に進入する。（２）センサ情報から、センサの検知領域の情報（例えば、停止線の位置と停止線から５０ｍの位置との間の領域）と、当該検知領域内の全ての車両情報を得る。（３）自車両の位置（ＧＰＳなどで取得可能）がセンサの検知領域に含まれているか否かをチェックする。（４）自車両の位置が検知領域に含まれている場合、車両情報から、自車両の位置と一致するデータ（自車両に該当するデータ）を抽出する。（５）夜間において自車両データの車種情報を参照し、四輪か否かをチェックする。（６）二輪であれば、ヘッドライトが１つしかないと認識されているため片目になっていると判断する。（７）片目と判定された場合、運転者に対して片目であることの注意喚起又は警告をする。
【００４９】
次に、本実施の形態の情報支援システムの動作について説明する。図２及び図３は本実施の形態の情報支援装置１０の処理手順を示すフローチャートである。制御部１１は、スマートフォン２０が接続されたか否かを判定し（Ｓ１１）、接続されていない場合（Ｓ１１でＮＯ）、ステップＳ１１の処理を続ける。
【００５０】
スマートフォン２０が接続された場合（Ｓ１１でＹＥＳ）、制御部１１は、ユーザ認証を行い（Ｓ１２）、認証できた場合（正規のユーザである場合）、アプリケーション（安全運転支援用アプリケーション）用の空き容量の有無を判定し（Ｓ１３）、空き容量がない場合（不十分である場合）（Ｓ１３でＮＯ）、その旨をスマートフォン２０へ送出して（Ｓ１４）、処理を終了する。
【００５１】
アプリケーション（安全運転支援用アプリケーション）用の空き容量がある場合（十分である場合）（Ｓ１３でＹＥＳ）、制御部１１は、アプリケーションをスマートフォン２０へ送出し（Ｓ１５）、導入終了したか否かを判定する（Ｓ１６）。
【００５２】
導入終了していない場合（Ｓ１６でＮＯ）、制御部１１は、ステップＳ１６の処理を続け、導入終了した場合（Ｓ１６でＹＥＳ）、アプリケーション起動指令をスマートフォン２０へ送出し（Ｓ１７）、アプリケーションが起動したか否かを判定する（Ｓ１８）。
【００５３】
アプリケーションが起動していない場合（Ｓ１８でＮＯ）、制御部１１は、ステップＳ１８の処理を続け、スマートフォン２０でアプリケーションが起動するのを待つ。アプリケーションが起動した場合（Ｓ１８でＹＥＳ）、制御部１１は、計測データ（交通状況に関するデータ）を第３インタフェース部１７で受信（取得）したか否かを判定する（Ｓ１９）。
【００５４】
計測データ（データ）を受信していない場合（Ｓ１９でＮＯ）、制御部１１は、ステップＳ１９の処理を続け、計測データを受信した場合（Ｓ１９でＹＥＳ）、第２インタフェース部１６で車両情報を取得する（Ｓ２０）。
【００５５】
制御部１１は、取得した車両情報に基づいて車両の異常又は故障を判定する（Ｓ２１）。異常又は故障がない場合（Ｓ２１でＮＯ）、制御部１１は、所定のサービス内容（右折時衝突防止サービス、追突防止サービス、出会頭衝突防止サービスなど）及び計測データに基づいて支援情報（例えば、通常のレベルの支援情報など）を生成する（Ｓ２２）。
【００５６】
異常又は故障がある場合（Ｓ２１でＹＥＳ）、制御部１１は、所定のサービス内容（右折時衝突防止サービス、追突防止サービス、出会頭衝突防止サービスなど）、計測データ及び診断結果に基づいて支援情報（例えば、警告レベルの支援情報など）を生成する（Ｓ２３）。
【００５７】
制御部１１は、支援情報をスマートフォン２０へ送出し（Ｓ２４）、スマートフォン２０が未接続になったか否かを判定する（Ｓ２５）。未接続でない場合（Ｓ２５でＮＯ）、すなわちスマートフォン２０が情報支援装置１０に接続維持されている場合、制御部１１は、ステップＳ１９以降の処理を行い、スマートフォン２０が未接続になった場合（Ｓ２５でＹＥＳ）、処理を終了する。
【００５８】
なお、図２及び図３に例示した処理において、異常又は故障がある場合、所定のサービス内容（右折時衝突防止サービス、追突防止サービス、出会頭衝突防止サービスなど）、計測データ及び診断結果に基づいて支援情報の送信タイミング（提供タイミング）を早くすることもできる。
【００５９】
本実施の形態の情報支援装置１０は、ＣＰＵ、ＲＡＭなどを備えた汎用コンピュータを用いて実現することもできる。すなわち、図２及び図３に示すような処理手順を定めたコンピュータプログラムをＣＤ、ＤＶＤ、ＵＳＢメモリ等のコンピュータプログラム記録媒体に記録しておき、当該コンピュータプログラムをコンピュータに備えられたＲＡＭにロードし、コンピュータプログラムをＣＰＵで実行することにより、コンピュータ上で情報支援装置１０を実現することができる。
【００６０】
図４及び図５は本実施の形態のスマートフォン２０の処理手順を示すフローチャートである。スマートフォン２０は、情報支援装置１０に接続されたか否かを判定し（Ｓ４１）、接続されていない場合（Ｓ４１でＮＯ）、ステップＳ４１の処理を続ける。情報支援装置１０に接続された場合（Ｓ４１でＹＥＳ）、スマートフォン２０は、固有情報（ユーザ認証のためのユーザＩＤ、スマートフォンの識別番号、メモリの空き容量など）を送信する（Ｓ４２）。
【００６１】
スマートフォン２０は、アプリケーション（安全運転支援用アプリケーション）を情報支援装置１０又は外部のサーバから受信し（Ｓ４３）、アプリケーションを導入（インストール）する（Ｓ４４）。スマートフォン２０は、アプリケーションの導入が終了した場合、導入終了の信号を情報支援装置１０へ送信する（Ｓ４５）。
【００６２】
スマートフォン２０は、情報支援装置１０からアプリケーション起動指令を受信したか否かを判定し（Ｓ４６）、アプリケーション起動指令を受信していない場合（Ｓ４６でＮＯ）、ステップＳ４６の処理を続ける。アプリケーション起動指令を受信した場合（Ｓ４６でＹＥＳ）、スマートフォン２０は、アプリケーションを起動する（Ｓ４７）。
【００６３】
スマートフォン２０は、情報支援装置１０から支援情報を受信したか否かを判定し（Ｓ４８）、支援情報を受信していない場合（Ｓ４８でＮＯ）、ステップＳ４８の処理を続ける。支援情報を受信した場合（Ｓ４８でＹＥＳ）、スマートフォン２０は、支援情報を表示又は出力（例えば、音声出力）する（Ｓ４９）。
【００６４】
スマートフォン２０は、情報支援装置１０と未接続になったか否か（例えば、スマートフォン２０が情報支援装置１０から取り外されたか否か）を判定し（Ｓ５０）、未接続でない場合（Ｓ５０でＮＯ）、ステップＳ４８以降の処理を続ける。情報支援装置１０と未接続になった場合（Ｓ５０でＹＥＳ）、スマートフォン２０は、アプリケーション（安全運転支援用アプリケーション）を削除し（Ｓ５１）、処理を終了する。
【００６５】
なお、スマートフォン２０を安全運転支援用に比較的頻繁に使用するユーザである場合（例えば、使用履歴を記録しておくことで判定することができる）、安全運転支援用アプリケーションを削除する処理を実施しなくてもよい。
【００６６】
図４及び図５に示すような処理手順を定めたコンピュータプログラムをマイクロＳＤカードのような記録媒体に記録しておき、当該コンピュータプログラムをスマートフォン２０に備えられたＲＡＭにロードし、コンピュータプログラムをスマートフォン２０内のＣＰＵで実行することにより、スマートフォン２０の処理を実現することができる。
【００６７】
上述のように、外部の情報支援装置１０との接続の有無を判定し、情報支援装置１０との接続ありと判定した場合、安全運転支援用アプリケーションを導入する。導入した安全運転支援用アプリケーションを起動し、情報支援装置１０から取得した支援情報を提供する。これにより、従来のＤＳＳＳ機能を有する車載機が搭載されていない車両でも、ユーザがスマートフォン２０を携帯していれば、安全運転支援サービスを受けることができる。
【００６８】
本実施の形態によれば、ＤＳＳＳ機能を有するカーナビゲーションの需要がなくなった場合でも、スマートフォン２０を用いることができ、安全運転支援サービスが受けられない車両が増加することを抑制することができる。
【００６９】
また、スマートフォン２０を情報支援装置１０に接続するだけで安全運転支援用のアプリケーションが自動的にインストールされるので、ユーザが自らインストール作業を行う必要がなくユーザの利便性を向上させることができる。
【００７０】
上述の実施の形態において、車両診断部１４で得られた診断情報をプローブ情報として中央装置へ送信することもできる。中央装置では、受信した診断情報に基づいて様々なアプリケーションに利用することが可能である。例えば、整備不良車両を特定し、プローブ情報を元に整備不良車両を追跡することができる。すなわち、診断情報から燃費や各種電圧等が異常を示す不良車両が存在した場合、スマートフォン２０を通して、異常ありのタグを付して送信する。中央装置では異常ありのタグのついた端末番号からの情報に注視し、位置情報等をもとに中央画面の地図上にプロットして不良車両を追跡することができる。
【００７１】
開示された実施の形態は、すべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【符号の説明】
【００７２】
１０  情報支援装置
１１  制御部
１２  第１インタフェース部
１３  アプリケーション導入部
１４  車両診断部
１５  記憶部
１６  第２インタフェース部
１７  第３インタフェース部
１８  支援情報生成部
２０  スマートフォン
【図１】
2013016028.tif 000003
【図２】
2013016028.tif 000004
【図３】
2013016028.tif 000005
【図４】
2013016028.tif 000006
【図５】
2013016028.tif 000007